(57)【要約】　　　（修正有）【課題】単リール型のテープカートリッジにおいて、テープ巻き戻し時にリーダーテープの一部が破損するのを解消して、耐久性の向上を図る。【解決手段】リーダーテープ４の端部に、テープドライブ側の捕捉具で掛止連結される連結孔と、上下一対の掛止片１７と、係合溝とを備えたテープエンド部２０を設ける。前面のローディング開口６に臨むケース本体１の内部には、掛止片１７を誘導案内するガイド溝２３を有する。ケース本体１にストッパー爪２４がガイド溝２３に隣接して配置されている。ガイド溝２３の奥端側の上下に、掛止片１７を受け止める一対の緩衝材３２を配設する。ストッパー爪２４で緩衝材３２を位置決め保持する。緩衝材３２でリーダーテープ４の掛止片１７を受け止めたのち、ストッパー爪２４のフック片２７がリーダーテープ４の係合溝の溝端に当たるようにする。【選択図】　　　　図１
2004071114.tif 000002
【特許請求の範囲】
【請求項１】
ケース本体の内部に磁気テープを巻き取る１個のリールが収容されており、前記磁気テープの繰り出し端にリーダーテープが接続されたテープカートリッジであって、
前記リーダーテープの端部には、テープドライブ側の捕捉具で掛止連結される連結孔と、上下一対の掛止片と、係合溝とを備えたテープエンド部が設けられており、
前記ケース本体のローディング開口に臨む内部には、前記掛止片を誘導案内するガイド溝を有するとともに、前記係合溝に嵌入係合するフック片を備えたストッパー爪が隣接して配置されており、
前記ガイド溝の奥端側の上下に、前記掛止片を受け止めて衝突衝撃を緩和吸収する緩衝材が設けられており、
前記ストッパー爪には、前記ガイド溝の奥端側に前記緩衝材を位置決め保持するための規制部が設けられていることを特徴とする単リール型テープカートリッジ。
【請求項２】
前記係合溝の溝端に前記ストッパー爪のフック片が係合するのに先立って、前記緩衝材に前記掛止片が先当たりする請求項１記載の単リール型テープカートリッジ。
【請求項３】
前記ストッパー爪の前記規制部に前記緩衝材を分離しないように備えている請求項２記載の単リール型テープカートリッジ。
【発明の詳細な説明】
【０００１】
【発明の属する技術分野】
本発明は、磁気テープの繰り出し端にリーダーテープを接続してある単リール型のテープカートリッジに関する。
【０００２】
【従来の技術】
この種のテープカートリッジは、例えば特表昭６２−５０２６４１号公報や特開平８−６３９４０号公報にみられる。そこでは、テープドライブ側の捕捉具でリーダーテープを捕捉することにより、磁気テープがケース外に引き出し操作される。そのために、リーダーテープの端部には鍵穴状の連結孔を備えた舌片部を有する。舌片部のテープ上下縁には、不使用時の舌片部を位置決め保持するための掛止片を形成してあり、これら掛止片の近傍のテープ面中央にスリット状の係合溝を形成してある。ケース本体のローディング開口の内部にはストッパー爪を設けてあり、このストッパー爪の一部が先の係合溝に嵌入係合することにより、ケース本体内へのテープの巻き込み限界を規制している。
【０００３】
【発明が解決しようとする課題】
リーダーテープは、一般に磁気テープより若干分厚いプラスチックシートで形成してあり、テープドライブ側の捕捉具による出し入れ操作に耐えるシート強度を備えている。しかし、テープ巻き戻し時には、ケース本体内に高速度で巻き込まれるテープがストッパー爪に衝突して急停止するため、係合溝の溝端に大きな衝撃力が作用し、この溝端に亀裂を生じやすい。掛止片がガイド溝の奥端に衝突して掛止片が破損することもある。とくに、テープカートリッジの使用期間が長期にわたり、あるいはテープカートリッジの累積使用回数が一定数を越えると、係合溝や掛止片などが損傷しやすい。
【０００４】
本発明の目的は、リーダーテープが巻き戻されてストッパー爪で捕捉されて停止する際に、リーダーテープに作用する衝撃を緩和吸収して、リーダーテープに亀裂や破損が生じるのを防止し、以て耐久性と信頼性とに優れたテープカートリッジを提供することにある。
【０００５】
【課題を解決するための手段】
本発明は、図２に示すごとくケース本体１の内部に磁気テープ３を巻き取る１個のリール２が収容されており、磁気テープ３の繰り出し端にリーダーテープ４が接続された単リール型のテープカートリッジを対象とする。そのリーダーテープ４の端部には、テープドライブ側の捕捉具で掛止連結される連結孔１６と、上下一対の掛止片１７と、係合溝１８とを備えたテープエンド部２０が設けられている。ケース本体１のローディング開口６に臨む内部には、掛止片１７を誘導案内するガイド溝２３を有するとともに、係合溝１８に嵌入係合するフック片２７を有するストッパー爪２４がガイド溝２３に隣接して配置されている。
【０００６】
本発明は、かかる単リール型テープカートリッジにおいて、図１に示すごとくガイド溝２３の奥端側の上下に、掛止片１７を受け止めて衝突衝撃を緩和吸収する緩衝材３２が設けられており、ストッパー爪２４には、図４および図５に示すごとく前記ガイド溝２３の奥端側に緩衝材３２を位置決め保持するための規制部３４が設けられていることを特徴とする。緩衝材３２の素材としては、シリコーンゴムに代表される軟性樹脂のほか、ウレタンなどの多泡性樹脂を挙げることができる。
【０００７】
【発明の作用効果】
本発明によれば、ケース本体１内に磁気テープ３ついでリーダーテープ４が巻き込まれる終端において、ケース本体１側のガイド溝２３の奥端に配した緩衝材３２にリーダーテープ端の掛止片１７が先当たりする。その際、緩衝材３２が弾性変形することにより、掛止片１７に作用する衝突衝撃が緩和吸収されるとともに、プレーキが掛かる。これでリーダーテープ端の係合溝１８に嵌入係合したストッパー爪２４のフック片２７が、係合溝１８の溝端に激突することなく受け止められる。従って本発明によれば、ケース本体１に対するリーダーテープ４の引き込み限界を確実に規制しながら、係合溝１８の溝端や掛止片１７の突出基端に亀裂が生じることを長期にわたって確実に防止できる。
【０００８】
ストッパー爪２４に設けた規制部３４でガイド溝２３の奥端側に緩衝材３２を確りと位置決め保持しているので、緩衝材３２の位置ズレや抜け外れなどを確実に防止でき、作動の信頼性が得られる。
【０００９】
前記緩衝材３２が、図６に示すごとくストッパー爪２４の前記規制部３４に予め接着固定などするなどして分離不能に備えられていると、両部材２４・３２がバラバラに用意される場合に比べて、組み付け部品点数が減る分だけ組み付け作業性が向上する。組み付け精度も高まるので、リーダーテープ４の引き込み限界の規制の信頼性が向上する。
【００１０】
【実施例】
（実施例１）　図１ないし図５は本発明に係る単リール型のテープカートリッジの実施例１を示す。図２において角箱状のケース本体１は、上下ケース１ａ・１ｂを蓋合わせ状に結合してなり、ケース本体１の内部に１個のリール２が収容されている。リール２には磁気テープ３を巻装してあり、その繰り出し端に磁気テープ３をケース本体１の前方外側に引き出し操作するためのリーダーテープ４が接続されている。
【００１１】
図３においてケース本体１の前面には、ケース前面の大半を占めるローディング開口６が設けられている。このローディング開口６はケース本体１に開閉可能に支持したドア７で覆われる。ドア７は支軸８に嵌装したばね９で閉じ勝手に揺動付勢されている。
【００１２】
図２においてケース本体１の内部には、不使用時におけるリール２の遊転を規制してテープたるみを防ぐ２個のリールロック１０・１１と、誤消去を防ぐ切換えピース１２などが設けてある。リール２のボス部底壁と上ケース１ａとの間には、リール２を下ケース１ｂへ向かって押し下げ付勢するばね１３と、ばね１３の下端のボールブロックを受け止めるベアリング１４とを設けてある。
【００１３】
図３においてリーダーテープ４の遊端には、鍵穴状の連結孔１６と、上下一対の掛止片１７と、係合溝１８とを備えたテープエンド部２０が設けられている。連結孔１６と係合溝１８とは、掛止片１７をはさんで前後に位置する。連結孔１６は、テープドライブ側の捕捉具に掛止連結される。掛止片１７は、後述するガイド溝２３に誘導案内されて、リール２に巻き込まれたリーダーテープ４のテープエンド部２０を位置決め保持する。係合溝１８は、後述するストッパー爪２４のフック片２７で係合捕捉されて、リーダーテープ４の巻き込み限界を規定する。
【００１４】
図３においてリーダーテープ４は、ローディング開口６に向かって左端のテープ引出口２２からケース外へ引き出される。このテープ引出口２２に臨むケース内部には、上下の掛止片１７を誘導案内するガイド溝２３と、係合溝１８を係合捕捉するストッパー爪２４とを設けてある。図４においてガイド溝２３は、上下ケース１ａ・１ｂの内面に上下対向状に形成されており、部分円弧状の低いリブ壁からなる内溝壁２３ａと、上下ケース１ａ・１ｂの周側壁と同じ高さに突設された外溝壁２３ｂとで溝状に区画形成されている。
【００１５】
ストッパー爪２４は、横断平面視で矢印状に形成された基部２５と、基部２５の下端一側から張り出し形成された腕部２６と、腕部２６の先端から片持ち状に突出するフック片２７とを一体に形成したプラスチック成形品からなる。上ケース１ａの外溝壁２３ｂと周側壁との間には三角形状の装着空間２８を形成してあり、この装着空間２８に先の基部２５が嵌め込み固定される。
【００１６】
上下ケース１ａ・１ｂを結合した状態において、ストッパー爪２４の腕部２６の一部は上下の外溝壁２３ｂで挟持され、この状態でフック片２７がリーダーテープ４の係合溝１８の移動軌跡に臨む。符号３０はフック片２７と腕部２６の間に形成した捕捉溝である。
【００１７】
磁気テープ３ついでリーダーテープ４は、ケース本体１内のリール２に巻き込まれる。そのリーダーテープ４の巻き込み終端において、ストッパー爪２４のフック片２７がリーダーテープ４の係合溝１８に嵌入係合し、あるいは掛止片１７がガイド溝２３の溝端に受け止められてリーダーテープ４の巻き込み限界を規制する。その際の係合溝１８の溝端や掛止片１７の破損を避けるために、本発明ではガイド溝２３の奥端に、角ブロック状のゴム片からなる上下一対の緩衝材３２が配設されている。
【００１８】
すなわち、上下のガイド溝２３の奥端における内溝壁２３ａには、図４および図５に示すごとくガイド溝２３に向かって開口する凹み３３をそれぞれ形成する。下側の凹み３３は上面側が開口しており、上側の凹み３３は下面側が開口している。かくして、上下の各凹み３３に各緩衝材３２を上下方向からそれぞれ差し込み装填する。この装填状態において各緩衝材３２は、上下の各ガイド溝２３内を横切っており、必要に応じて接着剤で仮止めしておく。
【００１９】
図４において符号３４は、ストッパー爪２４のフック片２７の突出基端から上下方向に伸びるよう一体に成形した突起状の規制部である。ケース本体１にストッパー爪２４および緩衝材３２を組み付けた状態において、下側の規制部３４の下面は下側の緩衝材３２の上面を下方に押さえ付け、上側の規制部３４の上面は上側の緩衝材３２の下面を上方に押さえ付ける。これにて、上下の各緩衝材３２は前記凹み３３内において位置ズレしないよう確りと嵌合状態に保持される。
【００２０】
上記のようにガイド溝２３の奥端の上下に緩衝材３２・３２が配設されていると、ストッパー爪２４のフック片２７がリーダーテープ４の係合溝１８の溝端に当たるのに先行して、上下の各掛止片１７が各緩衝材３２にそれぞれ先当たりする。このとき緩衝材３２が弾性変形し、緩衝材３２に対する掛止片１７の衝突衝撃を緩和吸収しながらプレーキ機能を発揮する。その結果、フック片２７が係合溝１８の溝端に遅れて柔らかく当たり、フック片２７と掛止片１７とでリーダーテープ４の巻き込み限界を規制して該テープ４のテープエンド部２０をケース本体１の所定位置に対して確実に位置決めする。従って、係合溝１８の溝端や、掛止片１７の突出基端に亀裂が生じることを確実に防止できる。
【００２１】
（実施例２）　図６は本発明の実施例２を示す。そこでは、インサート成形あるいは接着により、予めストッパー爪２４の規制部３４の先端に、緩衝材３２を不離一体に備えたものとなっている。
【００２２】
このように、規制部３４と緩衝材３２とが予め一体化されていると、組み付け部品点数が減る分だけ、組み付け作業性が向上する。特に、インサート成形により両者を一体成形すると、これを安価に製造できる利点がある。他は先の実施例１と同じであるので、同じ部材には同じ符号を付してその説明を省略する。
【図面の簡単な説明】
【図１】要部の横断平面図
【図２】全体の内部の平面図
【図３】要部の正面図
【図４】ケース内部側から見た要部の分解斜視図
【図５】掛止片と緩衝材との衝当関係を説明する縦断面図
【図６】ケース内部側から見た実施例２の要部の分解斜視図
【符号の説明】
１　ケース本体
２　リール
３　磁気テープ
４　リーダーテープ
６　ローディング開口
１６　連結孔
１７　掛止片
１８　係合溝
２０　テープエンド部
２３　ガイド溝
２４　ストッパー爪
２７　フック片
３２　緩衝材
３３　凹み
３４　規制部
【図１】
2004071114.tif 000003
【図２】
2004071114.tif 000004
【図３】
2004071114.tif 000005
【図４】
2004071114.tif 000006
【図５】
2004071114.tif 000007
【図６】
2004071114.tif 000008